(57)【要約】【課題】排水筒体部分とフランジとをウレタン樹脂で一体成形したので、接着部分による継ぎ目がなく、防水における施工性が向上し、かつ、耐候性があり、既存部分との接着についても良好なドレインの防水構造を提供する。【解決手段】ウレタン樹脂で排水筒体部分と該排水筒体の端部を外側に直角またはそれに近い角度を持って延設したフランジとを一体成形したウレタンドレイン部材を使用し、前記排水筒体を既設排水口内の既設排水管に差し込み、既設排水口の周囲に充填したウレタン樹脂で前記フランジを排水口周囲に接着するとともに、フランジの上はウレタン防水材で押える。【選択図】  図１
2015045157.tif 000002
【特許請求の範囲】
【請求項１】
ウレタン樹脂で排水筒体部分と該排水筒体の端部を外側に直角またはそれに近い角度を持って延設したフランジとを一体成形したウレタンドレインカバー部材を使用し、前記ウレタンドレインカバー部材の排水筒体を既設ドレイン内の排水管に差し込み、既設ドレインの上にウレタン樹脂で前記ウレタンドレインカバー部材のフランジを接着するとともに、フランジの上側はウレタン防水材で押えることを特徴とするドレインの防水構造。
【請求項２】
ウレタン防水材は成形ウレタンシートであり、その端をウレタンドレインカバー部材のフランジに重畳させる請求項１記載のドレインの防水構造。
【請求項３】
ウレタン防水材は、吹付ウレタン防水材である請求項１記載のドレインの防水構造。
【請求項４】
ウレタンドレインカバー部材のフランジ下には排水マットを敷き込み、その排水マットの端を既設排水管と排水筒体の隙間に繋げる請求項１ないし請求項３のいずれかに記載のドレインの防水構造。
【発明の詳細な説明】
【技術分野】
【０００１】
本発明は、ドレインシムテムにおいて、建築物屋上或いはベランダ等の改修工事及び補修工事等の防水工事におけるドレインの防水構造に関するものである。
【背景技術】
【０００２】
マンション等の建築物の屋上、バルコニー、廊下等における防水工法として、近年、ポリウレタン系塗膜防水材を用いる塗膜防水工法が多く採用されている。この防水工法は、施工部位にポリウレタン系樹脂を直接塗工するため、塩化ビニル樹脂製等の成型シートを用いるシート防水工法に比べ、施工部位の形状によらず簡便に防水塗膜を形成できる利点があり、特に改修工事に多くの実績がある。
【０００３】
ところで、屋上、バルコニー、廊下等の改修工事においては、新築時に排水口に設置されていた金属製等の既存ドレインが老朽化している場合が多い。この場合、既存ドレインを残したまま、直接ポリウレタン系塗膜防水材を施工すると、金属ドレインとポリウレタン系塗膜防水材との熱膨張率の差によって、ドレインと防水材層との接合面で亀裂や剥離が発生する恐れがあり、これによって建築物の躯体内部に水が侵入して漏水が起こる可能性が高い。
【０００４】
したがって、既存ドレインを残したまま、直接ポリウレタン系塗膜防水材を施工する場合には、耐亀裂性の向上を目的として接合面にガラスクロス等による補強が必要であり、また、ポリウレタン系塗膜防水材は金属との接着強度が十分ではないために、専用のプライマが必要であった。
【０００５】
下記特許文献は、排水口の周囲の下地形状に適合するように被覆でき、防水層との接着が充分で、長期間に渡り防水性能を維持できるドレインカバーおよびそれを用いたポリウレタン系塗膜防水工法として提案されたもので、図４、図５に示すように、アンカーボルト４０によって下地６０に固定されている既存ドレイン３０に対してドレインカバー１０を用いて改修工事を施すもので、図中５０は既存ドレイン３０に接続する排水管である。
【特許文献１】特許第３８３９６９４号公報
【０００６】
ドレインカバー１０は、フレキシブルホース１１と、その一端の開口縁部にフランジ状に取付けられた軟質ポリウレタン系樹脂製のフランジ状シート１２とを備える。
【０００７】
フレキシブルホース１１の一方の端部の開口縁部１１ａと、フランジ状シート１２の開口縁部１２ａが接合部１３で接合されている。
【０００８】
接合方法としては、従来公知の接着剤、熱溶着または溶剤溶着等による接合方法が使用でき、このうち溶剤溶着が好ましいとされる。
【０００９】
フレキシブルホース１１の他端が排水口の内部に挿入され、フランジ状シート１２が排水口の周縁部を被覆して、排水を排水口内に導くように配置され、フランジ状シート１２上からその周縁の下地６０にかけて、ポリウレタン系塗膜防水材を塗工して、ポリウレタン系塗膜防水層２０が形成される。
【００１０】
この特許文献１によれば、フランジ状シート１２は軟質ポリウレタン系樹脂製である。これにより、設置される下地面の形状に追随して容易に被覆可能であり、さらに、後の工程でフランジ状シート１２上に塗工されるポリウレタン系塗膜防水材と同種材料であるため接着性に優れ、フランジ状シート１２と防水層が一体化して高い防水性能を得ることができる。
【発明の概要】
【発明が解決しようとする課題】
【００１１】
しかし、前記特許文献１のものは、フレキシブルホース１１の他端が排水口の内部に挿入され、フランジ状シート１２との２部材からなるもので、両者の接着が必要となり、接着部に接着代が生じる。その結果、図４に示すように、フランジ状シート１２の開口縁部が下方に曲がり込んで突き出ることになる。
【００１２】
また、フランジ状シート１２は下地６０等との気密性を高めることができるとはいっても、既存ドレイン３０にそのままドレインカバー１０を被せて設置する場合に、フレキシブルホース１１との接合部分では接着されない隙間が生じるおそれがある。
【００１３】
本発明の目的は前記従来例の不都合を解消し、ウレタンドレインカバー部材の排水筒体部分とフランジとをウレタン樹脂で一体成形したので、接着部分による継ぎ目がなく、防水における施工性が向上し、かつ、耐候性があり、既存部分との接着についても良好なドレインの防水構造を提供することにある。
【課題を解決するための手段】
【００１４】
前記目的を達成するため請求項１記載の本発明は、ウレタン樹脂で排水筒体部分と該排水筒体の端部を外側に直角またはそれに近い角度を持って延設したフランジとを一体成形したウレタンドレインカバー部材を使用し、前記ウレタンドレインカバー部材の排水筒体を既設ドレイン内の排水管に差し込み、既設ドレインの上にウレタン樹脂で前記ウレタンドレインカバー部材のフランジを接着するとともに、フランジの上側はウレタン防水材で押えることを要旨とするものである。
【００１５】
請求項１記載の本発明によれば、ウレタンドレインカバー部材としては、排水筒体部分と該排水筒体の端部を外側に直角またはそれに近い角度を持って延設したフランジとをウレタン樹脂で一体成形したものなので継ぎ目による接着部分がなく、製作が容易であり、また、曲りや突出分を生じることはない。しかも、ピュアなウレタンで製作しているので紫外線劣化が遅く、耐候性がある。
【００１６】
また、フランジの上はウレタン防水材で押えるので、この押えとなるウレタン防水材と馴染みが良く、材料同士の劣化の影響がないものとなる。
【００１７】
請求項２記載の本発明は、ウレタン防水材は成形ウレタンシートであることを要旨とするものである。
【００１８】
請求項２記載の本発明によれば、フランジの上の押えは成形ウレタンシートであるのでこれを敷き込めばよく、簡易かつ迅速に施工できるとともに、フランジがシート状なので、シート同士の重合わせで好適な防水が得られる。
【００１９】
請求項３記載の本発明は、ウレタン防水材は吹付ウレタン防水材であることを要旨とするものである。
【００２０】
請求項３記載の本発明によれば、従来と同じ吹付ウレタン防水材で押えることができ、フランジはこの押えとなるウレタン防水材と馴染みが良い。
【００２１】
請求項４記載の本発明は、ウレタンドレインカバー部材のフランジ下には排水マットを敷き込み、その排水マットの端を既設排水管と排水筒体の隙間に繋げることを要旨とするものである。
【００２２】
請求項４記載の本発明によれば、既設排水管と排水筒体の隙間を形成することで自由水の流れが確保でき、排水マットを敷き込むことで防水下の自由水の排水が可能となる。
【発明の効果】
【００２３】
以上述べたように本発明のドレインの防水構造は、ウレタンドレインカバー部材の排水筒体部分とフランジとをウレタン樹脂で一体成形したので、接着部分による継ぎ目がなく、防水における施工性が向上し、かつ、耐候性があり、既存部分との接着についても良好なものである。
【発明を実施するための形態】
【００２４】
以下、図面について本発明の実施の形態を詳細に説明する。図１は本発明のドレインの防水構造の第１実施形態を示す縦断側面図で、前記従来例と同じく排水管５０が接続する既存ドレイン３０に対して改修工事を施す場合である。
【００２５】
図中１７は屋上やベランダ床などの躯体コンクリート（下地）で、既設のものとしてアスファルト防水６が施されており、断熱材５が配設される。図１は防水押えコンクリート４がある場合ある。
【００２６】
既存のドレインは一般に鋳鉄等の金属製であり、ドレイン本体とストレーナー、防水層押え等の部品等からなっているが、ストレーナー、防水層押え等の部品等を除去し、ドレイン本体は取り外さずにそのまま残して使用する。ドレイン本体には様々な形状があり、表面に防水層押え等の部品やストレーナー等を固定するネジが突出して埋め込まれている場合は、それを外すか又は削り取る等して突出部をなくし、又、他に大きな凹凸がある場合も必要に応じてサンダー等で削り取る。
【００２７】
本発明は図３に示すようなウレタン樹脂で排水筒体２の部分と該排水筒体２の端部を外側に直角またはそれに近い角度を持って延設したフランジ３とを一体成形したウレタンドレインカバー部材１を使用する。
【００２８】
このウレタンドレインカバー部材１は、ピュアなスプレー用ウレタン(例えば、ユープレックス株式会社の登録商標コスミックＲＩＭ・Ｓ１００、Ｓ２００)を使用し、フランジ３と排水筒体２部分を工場で予め一体成形で製作する。このコスミックＲＩＭ・Ｓ１００、Ｓ２００の原液性状と塗膜物性を下記表１に示す。
【表１】
2015045157.tif 000003
【００２９】
この表１からもわかるように、ＪＩＳ  Ａ  ６０２１に規定される引張性能試験において、引張強さが１２Ｎ／ｍｍ2以上であり、かつ破断時の伸び率が３８０％以上である。ここでＪＩＳ  Ａ  ６０２１に規定される引張性能試験とは、ダンベル状３号形の形状で、５００ｍｍ／ｍｉｎの引張速度で試験片が破断するまで引っ張った時の引張強さと破断時の伸び率である。
【００３０】
標準寸法では収まらない場合は現場寸法に合わせてフランジ３の部分、排水筒体２を製伸する。フランジ３は図示のようには丸型又は四角型を用意し現場の寸法に合わせ切断することも可能である。
【００３１】
ウレタンドレインカバー部材１のウレタンの肉厚は耐候性を確保するため標準肉厚を≒２ｍｍとする。
【００３２】
排水部分の外径は自由水の流れを確保するので既存排水管５０の内径より約４mm小さくする。また排水部分のさし込長さは既存ドレインと竪樋の継手より下まで立ち下げ止水性を向上させるので100ｍｍを標準とする。
【００３３】
前記排水筒体２を既存ドレイン３０内の既設排水管５０に差し込み、既設ドレイン３０の上にウレタン樹脂７を接着剤として前記ウレタンドレインカバー部材１のフランジ３を接着した。
【００３４】
ウレタン樹脂７には、１成分型ポリウレタン系シーリング材を使用でき、可塑剤配合なしのノンブリードタイプとして、オート化学工業株式会社の、製品名「オートンノンブリードＱィック」（常温硬化型）もしくは、製品名「超耐シーラーＴＦ２０００」が好適である。
【００３５】
図中１６はモルタルであり、既設の場合もある。前記ウレタン樹脂７はこのモルタル１６の延設部として充填され、該モルタル１６とともにウレタンドレインカバー部材１のフランジ３が載置されるベット部を構成する。
【００３６】
また、ウレタンドレインカバー部材１のフランジ３の上側はウレタン防水材８で押えるが、このウレタン防水材８には成形ウレタンシートを使用し、その端を前記フランジ３に重畳させた。成形ウレタンシートとして前記ウレタンドレインカバー部材１と同じ無ピュアなスプレー用ウレタン(例えば、ユープレックス株式会社の登録商標コスミックＲＩＭ・Ｓ１００、Ｓ２００)を使用した工場製作のシートを用いることができる。
【００３７】
図中１４はストレーナーであるが、ウレタン素材によるストレーナーずれ止め１５を後付で設置する。
【００３８】
他の実施形態としてウレタン防水材８には、吹付ウレタン防水材を使用してもよい。この場合も同様にユープレックス株式会社の登録商標コスミックＲＩＭ・Ｓ１００、Ｓ２００を使用できる。
【００３９】
また、ウレタンドレインカバー部材１のフランジ３下方で前記ウレタン樹脂７の下には不織布等による排水マット９を敷き込み、その排水マット９の端を既設排水管５０と排水筒体２の隙間に繋げるようにしてもよい。該排水マット９にはＣＡマットＧ（通気層付自着マット）が利用でき、これにより防水下の自由水の排水ができる。
【００４０】
図２は露出防水の場合であり、ストレーナー１４は挟み込み式ストレーナーとして差し込み固定脚１４ａがある。
【００４１】
前記図１の第１実施形態、図２の第２実施形態のいずれの場合も、ウレタンドレインカバー部材１のフランジ３とウレタン防水材８とは防水上ある程度の重ね代は必要であり、状況に応じて段差部分にまで伸ばすようにする。
【図面の簡単な説明】
【００４２】
【図１】本発明のドレインの防水構造の第１実施形態を示す縦断側面図である。
【図２】本発明のドレインの防水構造の第２実施形態を示す縦断側面図である。
【図３】本発明で使用するウレタンドレインカバー部材１の斜視図である。
【図４】従来例を示す縦断側面図である。
【図５】従来例を示す（ａ）平面図、（ｂ）Ａ−Ａ´断面図である。
【符号の説明】
【００４３】
１  ウレタンドレインカバー部材
２  排水筒体
３  フランジ
４  防水押えコンクリート
５  断熱材
６  アスファルト防水
７  ウレタン樹脂
８  ウレタン防水材
９  排水マット
１０  ドレインカバー
１１  フレキシブルホース
１１ａ  開口縁部
１２  フランジ状シート
１２ａ  開口縁部
１２ｂ  開口部
１３  接合部
１４  ストレーナー
１４ａ  差し込み固定脚
１５  ストレーナーずれ止め
１６  モルタル
１７  躯体コンクリート（下地）
２０  ポリウレタン系塗膜防水層
３０  既存ドレイン
４０  アンカーボルト
５０  排水管
６０  下地
【図１】
2015045157.tif 000004
【図２】
2015045157.tif 000005
【図３】
2015045157.tif 000006
【図４】
2015045157.tif 000007
【図５】
2015045157.tif 000008
【手続補正書】
【提出日】平成26年11月25日(2014.11.25)
【手続補正１】
【補正対象書類名】明細書
【補正対象項目名】００１４
【補正方法】変更
【補正の内容】
【００１４】
前記目的を達成するため請求項１記載の本発明は、ウレタン樹脂で排水筒体部分と該排水筒体の端部を外側に直角またはそれに近い角度を持って延設したフランジとを一体成形したウレタンドレインカバー部材を使用し、前記ウレタンドレインカバー部材の排水筒体を既設ドレイン内の排水管に既存ドレインと竪樋の継手より下まで立ち下げて差し込み、既設ドレインの上にウレタン樹脂で前記ウレタンドレインカバー部材のフランジを接着するとともに、フランジの上側はウレタン防水材で押えることを要旨とするものである。
【手続補正２】
【補正対象書類名】特許請求の範囲
【補正対象項目名】全文
【補正方法】変更
【補正の内容】
【特許請求の範囲】
【請求項１】
ウレタン樹脂で排水筒体部分と該排水筒体の端部を外側に直角またはそれに近い角度を持って延設したフランジとを一体成形したウレタンドレインカバー部材を使用し、前記ウレタンドレインカバー部材の排水筒体を既設ドレイン内の排水管に既存ドレインと竪樋の継手より下まで立ち下げて差し込み、既設ドレインの上にウレタン樹脂で前記ウレタンドレインカバー部材のフランジを接着するとともに、フランジの上側はウレタン防水材で押えることを特徴とするドレインの防水構造。
【請求項２】
ウレタン防水材は成形ウレタンシートであり、その端をウレタンドレインカバー部材のフランジに重畳させる請求項１記載のドレインの防水構造。
【請求項３】
ウレタン防水材は、吹付ウレタン防水材である請求項１記載のドレインの防水構造。
【請求項４】
ウレタンドレインカバー部材のフランジ下には排水マットを敷き込み、その排水マットの端を既設排水管と排水筒体の隙間に繋げる請求項１ないし請求項３のいずれかに記載のドレインの防水構造。